(57)【特許請求の範囲】
【請求項１】
被測定物を測定する測定ユニットと、
操作パネルに設けられる画面を有し、前記測定ユニットによって測定された前記被測定物の測定データを前記画面上の第１の所定領域に表示する表示部と、
それぞれ、前記操作パネルにおける前記表示部の前記画面に隣接した所定位置に設けられ、前記表示部の前記画面上に表示された前記被測定物の測定データを処理するための互いに異なる複数の機能の実行を指示するための複数のファンクションキーと、
前記表示部の前記画面上に表示された前記被測定物の測定データを処理するための互いに異なる複数の機能の実行を指示するために用いられる複数のファンクションメニュー項目に対応する複数のファンクションメニューデータが格納され、前記複数のファンクションメニュー項目が前記複数のファンクションキーの数よりも多い場合に複数のページに渡る複数のファンクションメニューデータとして格納されている記憶部と、
前記表示部の前記画面上に表示される前記複数の機能に応じた複数枚分の画面が用意されており、それぞれの画面に表示される表示状態の設定に応じて、前記記憶部に格納されている複数のファンクションメニューデータから所定の機能に対応する１ページ分のファンクションメニューデータを選択的に読み出して、前記表示部の前記画面上における前記複数のファンクションキーのそれぞれと対応し、前記第１の所定領域とは異なる第２の所定領域に表示する画面管理部と、
前記操作パネルにおける所定位置に設けられ、ファンクションメニューの一覧表示の実行指示を入力するための一覧表示キーと、
前記一覧表示キーの操作に応じて、前記記憶部に格納されている複数のファンクションメニューデータから、現在、表示対象となっている前記所定の機能に対応する前記ファンクションメニューのファンクションメニューデータを用いて全ページ分のファンクションメニュー一覧を生成し、前記表示部の前記画面上における前記第１の所定領域を含み、前記第２の所定領域とは異なる第３の所定領域にそれらのページ情報と関連付けて一覧表示するファンクションメニュー一覧表示部と、
を具備する電子測定装置。
【請求項２】
前記画面管理部は、前記記憶部に複数のページに渡る複数のファンクションメニューデータとして格納されている場合に、前記１ページ分のファンクションメニューデータをそのページ情報と関連付けて表示する請求項１に記載の電子測定装置。
【請求項３】
操作パネルにおける所定位置に設けられるページ切り換えキーをさらに有し、
前記画面管理部は、前記ページ切り換えキーの操作に応じて、前記記憶部に格納されている複数のページに渡る複数のファンクションメニューデータを切り換えて前記１ページ分のファンクションメニューデータとして表示する請求項２に記載の電子測定装置。
【請求項４】
前記画面管理部は、前記複数のファンクションキーの内の少なくとも一つの操作に応じて、前記表示部の前記画面上における前記第２の所定位置に表示されている１ページ分のファンクションメニューデータの内の対応する少なくとも一つが選択されることをイネーブルする請求項１に記載の電子測定装置。
【請求項５】
操作パネルにおける所定位置に設けられ、それぞれ、前記複数のファンクションメニュー項目の中から所望の特定のファンクションメニュー項目を選択することを指示するための複数のハードキーをさらに備え、
前記画面管理部は、前記複数のハードキーの選択的な操作に従って、前記記憶部に格納されている前記複数のファンクションメニューデータから所望の特定の機能に対応する１ページ分のファンクションメニューデータを選択的に読み出して、前記表示部の前記画面上における前記複数のファンクションキーのそれぞれと対応する前記第２の所定位置に表示する請求項１に記載の電子測定装置。
【請求項６】
前記ファンクションメニュー一覧表示部は、表示画面サイズの制限により、前記所定の機能に対応する全ページ分の複数のファンクションメニューデータが１枚分のファンクションメニュー一覧では表示することができない場合に、複数枚分のファンクションメニュー一覧を作成し、
前記画面管理部は、前記ファンクションメニュー一覧表示部によって作成された前記複数枚分のファンクションメニュー一覧を、一覧表示切り替えの指示に応じて、切り替えて表示する請求項１に記載の電子測定装置。
【請求項７】
前記ファンクションメニュー一覧表示部は、前記ファンクションメニュー一覧を作成する際、各ページで共通するファンクションメニュー項目を統合して、同一のメニュー項目がファンクションメニュー一覧の各ページで重複しないようにして表示する請求項１に記載の電子測定装置。
【請求項８】
前記表示画面に、測定結果表示ウィンドウと、パラメータ設定ウィンドウとが表示されている際に、前記一覧表示キーによりファンクションメニューの一覧表示の実行が指示された場合、前記ファンクションメニュー一覧表示部は、前記表示画面にファンクションメニュー一覧ウィンドウを設定し、前記測定結果表示ウィンドウと前記パラメータ設定ウィンドウに対応するファンクションメニューを含むファンクションメニュー一覧を表示させると共に、該ファンクションメニュー一覧ウィンドウの各メニュー項目を選択するためのカーソルを設定し、
前記画面管理部は、前記カーソルの移動操作に応じて選択されたメニュー項目に応じたウィンドウの表示を切り替える請求項１に記載の電子測定装置。
【請求項９】
前記画面管理手段は、前記ファンクションメニューのメニュー項目を選択する指示が入力された場合に、当該メニュー項目に対応する画面中の特定の表示領域を表示させると共に、この表示領域において機能が実行可能であることを表すように特定の表示属性を付加して表示させる請求項１に記載の電子測定装置。
【請求項１０】
前記ファンクションメニュー一覧表示部は、前記画面管理部によって特定の機能に対応するファンクションメニューが表示されている時に、前記一覧表示キーによってファンクションメニューの一覧表示の実行指示が入力された場合に、前記画面管理部によって表示対象となっているファンクションメニューを含むファンクションメニュー一覧を表示する請求項１に記載の電子測定装置。
【請求項１１】
測定ユニット、画面を有する表示部、複数のファンクションキー、記憶部、一覧表示キーを準備し、
前記測定ユニットによって測定された前記被測定物の測定データを前記表示部の画面上の第１の所定領域に表示し、
前記記憶部に、前記表示部の前記画面上に表示された前記被測定物の測定データを処理するための互いに異なる複数の機能の実行を指示するために用いられる複数のファンクションメニュー項目に対応する複数のファンクションメニューデータを格納する際、前記複数のファンクションメニュー項目が前記複数のファンクションキーの数よりも多い場合に複数のページに渡る複数のファンクションメニューデータとして格納し、
前記表示部の前記画面上に表示される前記複数の機能に応じた複数枚分の画面が用意されており、それぞれの画面に表示される表示状態の設定に応じて、前記記憶部に格納されている複数のファンクションメニューデータから所望の特定の機能に対応する１ページ分のファンクションメニューデータを選択的に読み出して、前記表示部の前記画面上において、前記複数のファンクションキーのそれぞれと対応し、前記第１の所定領域とは異なる第２の所定領域に表示し、
前記一覧表示キーによって前記ファンクションメニューの一覧表示の実行指示を入力し、  前記一覧表示キーの操作に応じて、前記記憶部に格納されている複数のファンクションメニューデータから、現在、表示対象となっている前記所定の機能に対応する前記ファンクションメニューのファンクションメニューデータを用いて全ページ分のファンクションメニュー一覧を生成し、前記表示部の前記画面上における前記第１の所定領域を含み、前記第２の所定領域とは異なる第３の所定領域にページ情報と関連付けて一覧表示するための工程
を具備する電子測定装置のファンクションメニュー表示方法。
【請求項１２】
前記１ページ分のファンクションメニューデータの表示は、前記記憶部に複数のページに渡る複数のファンクションメニューデータとして格納されている場合に、前記１ページ分のファンクションメニューデータをそのページ情報と関連付けて表示する請求項１１に記載の電子測定装置のファンクションメニュー表示方法。
【請求項１３】
ページ切り換えキーをさらに準備し、
前記１ページ分のファンクションメニューデータの表示は、前記ページ切り換えキーの操作に応じて、前記記憶部に格納されている複数のページに渡る複数のファンクションメニューデータを切り換えて前記１ページ分のファンクションメニューデータとして表示する請求項１２に記載の電子測定装置のファンクションメニュー表示方法。
【請求項１４】
前記複数のファンクションキーの内の少なくとも一つのファンクションキーの操作に応じて、前記表示部の前記画面上における前記第２の所定領域に表示されている１ページ分のファンクションメニューデータの内、当該ファンクションキーに対応する少なくとも一つが選択されることをイネーブルする請求項１１に記載の電子測定装置のファンクションメニュー表示方法。
【請求項１５】
前記複数のファンクションメニュー項目の中から所望の特定のファンクションメニュー項目を選択することを指示するための複数のハードキーをさらに準備し、
前記複数のハードキーの選択的な操作に従って、前記記憶部に格納されている前記複数のファンクションメニューデータから所望の特定の機能に対応する１ページ分のファンクションメニューデータを選択的に読み出して、前記表示部の前記画面上における前記複数のファンクションキーのそれぞれと対応する前記第２の所定領域に表示する請求項１１に記載の電子測定装置のファンクションメニュー表示方法。
【請求項１６】
前記ファンクションメニュー一覧の表示は、表示画面サイズの制限により、前記所定の機能に対応する全ページ分の複数のファンクションメニューデータが１枚分のファンクションメニュー一覧では表示することができない場合に、複数枚分のファンクションメニュー一覧を作成し、
作成された前記複数枚分のファンクションメニュー一覧を、一覧表示切り替えの指示に応じて、切り替えて表示する請求項１１に記載の電子測定装置のファンクションメニュー表示方法。
【請求項１７】
前記ファンクションメニュー一覧の表示は、前記ファンクションメニュー一覧を作成する際、各ページで共通するファンクションメニュー項目を統合して、同一のメニュー項目がファンクションメニュー一覧の各ページで重複しないようにして表示する請求項１１に記載の電子測定装置のファンクションメニュー表示方法。
【請求項１８】
前記表示画面に、測定結果表示ウィンドウと、パラメータ設定ウィンドウとが表示されている際に、前記一覧表示キーによりファンクションメニューの一覧表示の実行が指示された場合、前記ファンクションメニュー一覧の表示は、前記表示画面にファンクションメニュー一覧ウィンドウを設定し、前記測定結果表示ウィンドウと前記パラメータ設定ウィンドウに対応するファンクションメニューを含むファンクションメニュー一覧を表示させると共に、該ファンクションメニュー一覧ウィンドウの各メニュー項目を選択するためのカーソルを設定し、
前記カーソルの移動操作に応じて選択されたメニュー項目に応じたウィンドウの表示を切り替える請求項１１に記載の電子測定装置のファンクションメニュー表示方法。
【請求項１９】
前記１ページ分のファンクションメニューデータの表示は、前記ファンクションメニューのメニュー項目を選択する指示が入力された場合に、当該メニュー項目に対応する画面中の特定の表示領域を表示させると共に、この表示領域において機能が実行可能であることを表すように特定の表示属性を付加して表示させる請求項１１に記載の電子測定装置のファンクションメニュー表示方法。
【請求項２０】
前記ファンクションメニュー一覧の表示は、前記特定の機能に対応するファンクションメニューが表示されている時に、前記一覧表示キーによってファンクションメニューの一覧表示の実行指示が入力された場合に、前記表示対象となっているファンクションメニューを含むファンクションメニュー一覧を表示する請求項１１に記載の電子測定装置のファンクションメニュー表示方法。
【発明の詳細な説明】
【０００１】
＜技術分野＞
本発明は電子測定装置及びそのファンクションメニュー表示方法に係り、特に、画面上に表示された被測定物の測定データを処理するための互いに異なる複数の機能の実行を指示するために用いられる複数のメニュー項目を配列させた複数ページに渡るファンクションメニューを同一画面上に一覧表示する機能を有する電子測定装置及びそのファンクションメニュー表示方法に関する。
【０００２】
＜背景技術＞
一般に、通信特性測定装置等の各種の電子測定装置に適用される測定データ表示システムにおいては、画面上に被測定物の測定データを表示する表示部が操作パネルに設けられていると共に、被測定物の測定データを処理するための互いに異なる複数の機能の実行を選択的に指示するための複数のファンクションキーが操作パネルに設けられている。
【０００３】
そして、このような測定データ表示システムにおいては、複数のファンクションキーのそれぞれと対応するように複数のメニュー項目を配列させたファンクションメニューを表示部の画面上に表示するようにしている。
【０００４】
ユーザは、表示部の画面上でファンクションメニューとして表示されたメニュー項目を参照し、実行しようとする機能のメニュー項目に対応するファンクションキーを押下することにより、その機能の実行を電子測定装置に対して指示することができる。
【０００５】
また、このような電子測定装置においては、通常、ファンクションメニューは、各機能に応じた画面のそれぞれにおいて表示すべきファンクションメニューが決められている。
【０００６】
従って、ある機能を実行させようとする場合には、その機能に対応する画面に切り替えると共に、ファンクションメニューを切り替えて、所望する機能に対応するファンクションキーを押下する必要がある。
【０００７】
ところで、近年では、電子測定装置等に適用されるデータ処理及びその表示システムが多機能化するにつれて、ファンクションメニューも多数用意されるようになっている。
【０００８】
しかるに、これらのファンクションメニューは、操作パネルに設けられたファンクションキーに対応する分しか表示部の画面上には表示することができないために、１画面に対するファンクションメニューを複数ページで用意したり、階層化して用意したりしている。
【０００９】
このように多機能性を有する電子測定装置等に適用されるデータ処理及びその表示システムでは、ファンクションメニューのページ数や階層が多くなっているために、ユーザが使用したい機能を表示部の画面上から即座にに探し出すことが困難になってきている。
【００１０】
例えば、ユーザはある画面において表示されるべき全てのファンクションメニューを覚えていない場合には、ある機能を実行するたびに、表示部の画面上でファンクションメニューのページを切り替え、あるいは階層を変更しながら、必要なメニュー項目を含むファンクションメニューを探し出さなければならない。
【００１１】
このため、電子測定装置等に適用されるデータ処理及びその表示システム測定データ表示システムでは、多機能化が進むにつれて、操作性の低下を招くという点で問題となっている。
【００１２】
＜発明の開示＞
本発明の目的は、以上のような事情を考慮してなされたもので、単に、一覧表示キーを操作するだけで、表示部の画面上に表示された被測定物の測定データを処理するための互いに異なる複数の機能の実行を指示するために用いられる複数のファンクションメニュー項目を配列させた複数ページに渡るファンクションメニューを同一画面上に一覧表示する機能を有することにより、多数の機能に対応する複数のページに渡るファンクションメニューが設けられていたとしても、表示部の同一画面上に一覧表示されるファンクションメニューから所望の機能を実行させるためのファンクションメニューを簡単に選択して実行させることが可能な電子測定装置を提供することにある。
【００１３】
本発明の別の目的とするところは、以上のような事情を考慮してなされたもので、単に、一覧表示キーを操作するだけで、表示部の画面上に表示された被測定物の測定データを処理するための互いに異なる複数の機能の実行を指示するために用いられる複数のファンクションメニュー項目を配列させた複数ページに渡るファンクションメニューを同一画面上に一覧表示する機能を有することにより、多数の機能に対応する複数のページに渡るファンクションメニューが設けられていたとしても、表示部の同一画面上に一覧表示されるファンクションメニューから所望の機能を実行させるためのファンクションメニューを簡単に選択して実行させることが可能な電子測定装置のファンクションメニュー表示方法を提供することである。
【００１４】
上記目的を達成するために、本発明の第１の態様によれば、
被測定物を測定する測定ユニットと、
操作パネルに設けられる画面を有し、前記測定ユニットによって測定された前記被測定物の測定データを前記画面上の第１の所定領域に表示する表示部と、
それぞれ、前記操作パネルにおける前記表示部の前記画面に隣接した所定位置に設けられ、前記表示部の前記画面上に表示された前記被測定物の測定データを処理するための互いに異なる複数の機能の実行を指示するための複数のファンクションキーと、
前記表示部の前記画面上に表示された前記被測定物の測定データを処理するための互いに異なる複数の機能の実行を指示するために用いられる複数のファンクションメニュー項目に対応する複数のファンクションメニューデータが格納され、前記複数のファンクションメニュー項目が前記複数のファンクションキーの数よりも多い場合に複数のページに渡る複数のファンクションメニューデータとして格納されている記憶部と、
前記表示部の前記画面上に表示される前記複数の機能に応じた複数枚分の画面が用意されており、それぞれの画面に表示される表示状態の設定に応じて、前記記憶部に格納されている複数のファンクションメニューデータから所定の機能に対応する１ページ分のファンクションメニューデータを選択的に読み出して、前記表示部の前記画面上における前記複数のファンクションキーのそれぞれと対応し、前記第１の所定領域とは異なる第２の所定領域に表示する画面管理部と、
前記操作パネルにおける所定位置に設けられ、ファンクションメニューの一覧表示の実行指示を入力するための一覧表示キーと、
前記一覧表示キーの操作に応じて、前記記憶部に格納されている複数のファンクションメニューデータから、現在、表示対象となっている前記所定の機能に対応する前記ファンクションメニューのファンクションメニューデータを用いて全ページ分のファンクションメニュー一覧を生成し、前記表示部の前記画面上における前記第１の所定領域を含み、前記第２の所定領域とは異なる第３の所定領域にそれらのページ情報と関連付けて一覧表示するファンクションメニュー一覧表示部と、
を具備する電子測定装置が提供される。
【００１５】
上記目的を達成するために、本発明の第２の態様によれば、前記画面管理部は、前記記憶部に複数のページに渡る複数のファンクションメニューデータとして格納されている場合に、前記１ページ分のファンクションメニューデータをそのページ情報と関連付けて表示する第１の態様に従う電子測定装置が提供される。
【００１６】
上記目的を達成するために、本発明の第３の態様によれば、操作パネルにおける所定位置に設けられるページ切り換えキーをさらに有し、
前記画面管理部は、前記ページ切り換えキーの操作に応じて、前記記憶部に格納されている複数のページに渡る複数のファンクションメニューデータを切り換えて前記１ページ分のファンクションメニューデータとして表示する第２の態様に従う電子測定装置が提供される。
【００１７】
上記目的を達成するために、本発明の第４の態様によれば、前記画面管理部は、前記複数のファンクションキーの内の少なくとも一つの操作に応じて、前記表示部の前記画面上における前記第２の所定位置に表示されている１ページ分のファンクションメニューデータの内の対応する少なくとも一つが選択されることをイネーブルする第１の態様に従う電子測定装置が提供される。
【００１８】
上記目的を達成するために、本発明の第５の態様によれば、操作パネルにおける所定位置に設けられ、それぞれ、前記複数のファンクションメニュー項目の中から所望の特定のファンクションメニュー項目を選択することを指示するための複数のハードキーをさらに備え、
前記画面管理部は、前記複数のハードキーの選択的な操作に従って、前記記憶部に格納されている複数のファンクションメニューデータから所望の特定の機能に対応する１ページ分のファンクションメニューデータを選択的に読み出して、前記表示部の前記画面上における前記複数のファンクションキーのそれぞれと対応する前記第２の所定位置に表示する第１の態様に従う電子測定装置が提供される。
【００１９】
上記目的を達成するために、本発明の第６の態様によれば、前記ファンクションメニュー一覧表示部は、表示画面サイズの制限により、前記所定の機能に対応する全ページ分の複数のファンクションメニューデータが１枚分のファンクションメニュー一覧では表示することができない場合に、複数枚分のファンクションメニュー一覧を作成し、
前記画面管理部は、前記ファンクションメニュー一覧表示部によって作成された前記複数枚分のファンクションメニュー一覧を、一覧表示切り替えの指示に応じて、切り替えて表示する第１の態様に従う電子測定装置が提供される。
【００２０】
上記目的を達成するために、本発明の第７の態様によれば、前記ファンクションメニュー一覧表示部は、前記ファンクションメニュー一覧を作成する際、各ページで共通するファンクションメニュー項目を統合して、同一のメニュー項目がファンクションメニュー一覧の各ページで重複しないようにして表示する第１の態様に従う電子測定装置が提供される。
【００２１】
上記目的を達成するために、本発明の第８の態様によれば、前記表示画面に、測定結果表示ウィンドウと、パラメータ設定ウィンドウとが表示されている際に、前記一覧表示キーによりファンクションメニューの一覧表示の実行が指示された場合、前記ファンクションメニュー一覧表示部は、前記表示画面にファンクションメニュー一覧ウィンドウを設定し、前記測定結果表示ウィンドウと前記パラメータ設定ウィンドウに対応するファンクションメニューを含むファンクションメニュー一覧を表示させると共に、該ファンクションメニュー一覧ウィンドウの各メニュー項目を選択するためのカーソルを設定し、
前記画面管理部は、前記カーソルの移動操作に応じて選択されたメニュー項目に応じたウィンドウの表示を切り替える第１の態様に従う電子測定装置が提供される。
【００２２】
上記目的を達成するために、本発明の第９の態様によれば、前記画面管理手段は、前記ファンクションメニューのメニュー項目を選択する指示が入力された場合に、当該メニュー項目に対応する画面中の特定の表示領域を表示させると共に、この表示領域において機能が実行可能であることを表すように特定の表示属性を付加して表示させる第１の態様に従う電子測定装置が提供される。
【００２３】
上記目的を達成するために、本発明の第１０の態様によれば、前記ファンクションメニュー一覧表示部は、前記画面管理部によって特定の機能に対応するファンクションメニューが表示されている時に、前記一覧表示キーによってファンクションメニューの一覧表示の実行指示が入力された場合に、前記画面管理部によって表示対象となっているファンクションメニューを含むファンクションメニュー一覧を表示する第１の態様に従う電子測定装置が提供される。
【００２４】
上記別の目的を達成するために、本発明の第１１の態様によれば、
測定ユニット、画面を有する表示部、複数のファンクションキー、記憶部、一覧表示キーを準備し、
前記測定ユニットによって測定された前記被測定物の測定データを前記表示部の画面上の第１の所定領域に表示し、
前記記憶部に、前記表示部の前記画面上に表示された前記被測定物の測定データを処理するための互いに異なる複数の機能の実行を指示するために用いられる複数のファンクションメニュー項目に対応する複数のファンクションメニューデータを格納する際、前記複数のファンクションメニュー項目が前記複数のファンクションキーの数よりも多い場合に複数のページに渡る複数のファンクションメニューデータとして格納し、
前記表示部の前記画面上に表示される前記複数の機能に応じた複数枚分の画面が用意されており、それぞれの画面に表示される表示状態の設定に応じて、前記記憶部に格納されている前記複数のファンクションメニューデータから所望の特定の機能に対応する１ページ分のファンクションメニューデータを選択的に読み出して、前記表示部の前記画面上において、前記複数のファンクションキーのそれぞれと対応し、前記第１の所定領域とは異なる第２の所定領域に表示し、
前記一覧表示キーによって前記ファンクションメニューの一覧表示の実行指示を入力し、
前記一覧表示キーの操作に応じて、前記記憶部に格納されている複数のファンクションメニューデータから、現在、表示対象となっている前記所定の機能に対応する前記ファンクションメニューのファンクションメニューデータを用いて全ページ分のファンクションメニュー一覧を生成し、前記表示部の前記画面上ににおける前記第１の所定領域を含み、前記第２の所定領域とは異なる第３の所定領域にページ情報と関連付けて一覧表示するための工程
を具備する電子測定装置のファンクションメニュー表示方法が提供される。
【００２５】
上記別の目的を達成するために、本発明の第１２の態様によれば、前記１ページ分のファンクションメニューデータの表示は、前記記憶部に複数のページに渡る複数のファンクションメニューデータとして格納されている場合に、前記１ページ分のファンクションメニューデータをそのページ情報と関連付けて表示する第１１の態様に従う電子測定装置のファンクションメニュー表示方法が提供される。
【００２６】
上記別の目的を達成するために、本発明の第１３の態様によれば、ページ切り換えキーをさらに準備し、
前記１ページ分のファンクションメニューデータの表示は、前記ページ切り換えキーの操作に応じて、前記記憶部に格納されている複数のページに渡る複数のファンクションメニューデータを切り換えて前記１ページ分のファンクションメニューデータとして表示する第１２の態様に従う電子測定装置ファンクションメニュー表示方法が提供される。
【００２７】
上記別の目的を達成するために、本発明の第１４の態様によれば、前記複数のファンクションキーの内の少なくとも一つのファンクションキーの操作に応じて、前記表示部の前記画面上における前記第２の所定領域に表示されている１ページ分のファンクションメニューデータの内、当該ファンクションキーに対応する少なくとも一つが選択されることをイネーブルする第１１の態様に従う電子測定装置のファンクションメニュー表示方法が提供される。
【００２８】
上記別の目的を達成するために、本発明の第１５の態様によれば、
それぞれ、前記複数のファンクションメニュー項目の中から所望の特定のファンクションメニュー項目を選択することを指示するための複数のハードキーをさらに準備し、
前記複数のハードキーの選択的な操作に従って、前記記憶部に格納されている前記複数のファンクションメニューデータから所望の特定の機能に対応する１ページ分のファンクションメニューデータを選択的に読み出して、前記表示部の前記画面上における前記複数のファンクションキーのそれぞれと対応する前記第２の所定領域に表示する第１１の態様に従う電子測定装置のファンクションメニュー表示方法が提供される。
【００２９】
上記別の目的を達成するために、本発明の第１６の態様によれば、前記ファンクションメニュー一覧の表示は、表示画面サイズの制限により、前記所定の機能に対応する全ページ分の複数のファンクションメニューデータが１枚分のファンクションメニュー一覧では表示することができない場合に、複数枚分のファンクションメニュー一覧を作成し、
作成された前記複数枚分のファンクションメニュー一覧を、一覧表示切り替えの指示に応じて、切り替えて表示する第１１の態様に従う電子測定装置ファンクションメニュー表示方法が提供される。
【００３０】
上記別の目的を達成するために、本発明の第１７の態様によれば、前記ファンクションメニュー一覧の表示は、前記ファンクションメニュー一覧を作成する際、各ページで共通するファンクションメニュー項目を統合して、同一のメニュー項目がファンクションメニュー一覧の各ページで重複しないようにして表示する第１１の態様に従う電子測定装置のファンクションメニュー表示方法が提供される。
【００３１】
上記別の目的を達成するために、本発明の第１８の態様によれば、前記表示画面に、測定結果表示ウィンドウと、パラメータ設定ウィンドウとが表示されている際に、前記一覧表示キーによりファンクションメニューの一覧表示の実行が指示された場合、前記ファンクションメニュー一覧の表示は、前記表示画面にファンクションメニュー一覧ウィンドウを設定し、前記測定結果表示ウィンドウと前記パラメータ設定ウィンドウに対応するファンクションメニューを含むファンクションメニュー一覧を表示させると共に、該ファンクションメニュー一覧ウィンドウの各メニュー項目を選択するためのカーソルを設定し、
前記カーソルの移動操作に応じて選択されたメニュー項目に応じたウィンドウの表示を切り替える第１１の態様に従う電子測定装置のファンクションメニュー表示方法が提供される。
【００３２】
上記別の目的を達成するために、本発明の第１９の態様によれば、前記１ページ分のファンクションメニューデータの表示は、前記ファンクションメニューのメニュー項目を選択する指示が入力された場合に、当該メニュー項目に対応する画面中の特定の表示領域を表示させると共に、この表示領域において機能が実行可能であることを表すように特定の表示属性を付加して表示させる第１１の態様に従う電子測定装置のファンクションメニュー表示方法が提供される。
【００３３】
上記別の目的を達成するために、本発明の第２０の態様によれば、前記ファンクションメニュー一覧の表示は、前記特定の機能に対応するファンクションメニューが表示されている時に、前記一覧表示キーによってファンクションメニューの一覧表示の実行指示が入力された場合に、前記表示対象となっているファンクションメニューを含むファンクションメニュー一覧を表示する第１１の態様に従う電子測定装置のファンクションメニュー表示方法が提供される。
【００３４】
＜発明を実施するための最良の形態＞
以下、図面を参照して本発明の一実施の形態について説明する。
【００３５】
図１は、本発明の一実施形態に係わる電子測定装置の構成を示すブロック図である。
【００３６】
図１に示すように、本実施形態における電子測定装置は、制御部１０、測定ユニット１２、記憶部１３、パネルユニット１４、入力制御部１６、表示制御部１８、及び表示器１９によって構成されている。
【００３７】
制御部１０は、電子測定装置を構成する各部を制御するもので、ＣＰＵ等によりプログラムを実行することにより、各部の制御する。
【００３８】
この制御部１０は、パネルユニット１４に設けられた後述するようなキーに対する操作に応じた処理を実行する。
【００３９】
また、制御部１０に設けられている画面管理部１０ａは、入力制御部１６を通じて入力されるパネルユニット１４からの指示に応じた表示をするように表示器１９の画面１９ａの表示状態を管理する。
【００４０】
すなわち、この画面管理部１０ａは、記憶部１３に格納されている後述するようなファンクションメニューデータ１３ａをもとにした、当該電子測定装置に設けられた機能の実行を指示するために用いられる複数のメニュー項目を配列させたファンクションメニューの表示、表示画面におけるウィンドウの設定、ウィンドウ中での表示などの表示器１９の画面１９ａの表示状態を制御する。
【００４１】
そして、制御部１０は、表示器１９の画面１９ａに表示されるファンクションメニューに対応してパネルユニット１４に設けられた後述するファンクションキー２０に対する押下に応じた機能を実行する。
【００４２】
また、画面管理部１０ａには、ファンクションメニュー一覧表示部１０ａ１が設けられている。
【００４３】
このファンクションメニュー一覧表示部１０ａ１は、パネルユニット１４に設けられた後述する一覧表示キー２４が押下された場合に、次のようなファンクションメニュー一覧の表示を実行する。
【００４４】
すなわち、ファンクションメニュー一覧表示部１０ａ１は、一覧表示キー２４の操作に応じて、表示対象となっている特定の機能を実行するための画面に表示すべきファンクションメニューを含むファンクションメニュー一覧の表示、あるいはパネルユニット１４に設けられた特定のハードキー３１ａ、３１ｂ（図２参照）等により指示されて特定の機能に対応するファンクションメニューが表示されている時には、表示対象となっているファンクションメニューを含むファンクションメニュー一覧の表示を実行する。
【００４５】
なお、測定ユニット１２は、制御部１０の制御の下で、例えば、各種の通信信号の特性等に関する各種の測定を実行するユニットである。
【００４６】
また、記憶部１３は、当該電子測定装置で扱われる各種データを予め格納するためのもので、当該電子測定装置に設けられた機能に応じた画面において表示すべきファンクションメニューや特定の機能に対応するファンクションメニューのファンクションメニューデータ１３ａが格納されている。
【００４７】
この場合、記憶部１３には、前記表示部１９の前記画面１９ａ上に表示された前記被測定物の測定データを処理するための互いに異なる複数の機能の実行を指示するために用いられる複数のファンクションメニュー項目に対応する複数のファンクションメニューデータ１３ａを格納する際、前記複数のファンクションメニュー項目が前記複数のファンクションキー２０の数よりも多い場合に複数のページに渡る複数のファンクションメニューデータとして格納されている。
【００４８】
また、パネルユニット１４は、ユーザからの当該電子測定装置に対する各種指示を入力するためのもので、各種情報を表示するための画面１９ａを有する表示部１９のほか、さまざまなキーが設けられている。
【００４９】
このパネルユニット１４の具体例については後述する（図２参照）。
【００５０】
入力制御部１６は、パネルユニット１４に設けられた各種のキーによる入力操作を受け付け、キー操作の内容を制御部１０に通知する。
【００５１】
そして、表示制御部１８は、制御部１０の制御の下で、表示器１９における各種情報の表示制御を行う。
【００５２】
また、表示器１９は、表示制御部１８の制御によって各種情報を画面１９ａ上に表示する。
【００５３】
この表示器１９の表示画面１９ａには複数のエリアが設けられ、各エリアに割り当てられた情報が表示される。
【００５４】
本実施形態では、表示器１９の画面の右側には、ファンクションメニューを表示するためのエリア（ファンクションメニューエリア）が設けられているものとする。
【００５５】
図２は、パネルユニット１４の操作面の一例を示す図である。
【００５６】
すなわち、図２に示すように、このパネルユニット１４の操作面には、測定ユニット１２による各種の測定結果や操作用の画面が表示される表示器１９の表示画面１９ａと、利用者によって操作される複数のキーが設けられている。
【００５７】
これらの複数のキーには、ファンクションキー２０、ページ切り替えキー２２、一覧表示キー２４、画面切り替えキー２６、フォーカスキー２７、カーソルキー２８、エンコーダ２９、セットキー４１などが含まれている。
【００５８】
また、パネルユニット１４には、特定の機能に対応するファンクションメニューの表示の実行指示を入力するための複数のハードキー３１ａ、３１ｂ…が設けられている。
【００５９】
ファンクションキー２０は、後述するように、表示器１９の表示画面１９ａの右側に表示されるファンクションメニュー中の各メニュー項目を指示するために用いられるキーである。
【００６０】
例えば、このファンクションキー２０として、Ｆ１〜Ｆ７までの７つのキーが設けられている。
【００６１】
従って、表示画面１９ａ中のファンクションメニューエリアには、７つのファンクションキー２０のそれぞれに対応する７つのメニュー項目が配列されたファンクションメニューが表示される（ただし、常時、全てのファンクションキー２０に対応するメニュー項目がファンクションメニューに設けられている必要はない）。
【００６２】
ページ切り替えキー２２は、表示器１９の表示画面１９ａの右側に表示されるファンクションメニューのページを切り替えるために用いられるキーである。
【００６３】
上述したように、ファンクションメニューには、７つのファンクションキー２０に対応する７つのメニュー項目しか配列することができない。
【００６４】
従って、８つ以上のメニュー項目が存在する場合には、複数ページ分のファンクションメニューが用意されている。
【００６５】
複数ページ分のファンクションメニューが用意されている場合には、上述したように、ページ切り替えキー２２が押下されることによって、順次、ファンクションメニューを切り替えることができる。
【００６６】
一覧表示キー２４は、ファンクションメニューの一覧表示を指示するために用いられるキーである。
【００６７】
なお、一覧表示キー２４が押下された場合に表示されるファンクションメニュー一覧ウィンドウの詳細については後述する。
【００６８】
画面切り替えキー２６は、表示器１９の表示画面１９ａに表示される表示内容の切り替えを指示するために用いられるキーである。
【００６９】
当該電子測定装置には、機能に応じた複数枚分の画面（スクリーン）が用意されており、画面切り替えキー２６が操作されることによって、順次、表示される画面１９ａの状態が切り替えられる。
【００７０】
フォーカスキー２７は、表示器１９の表示画面１９ａに表示される複数のウィンドウの中で操作可能とするウィンドウの切り替えを指示するために用いられるキーである。
【００７１】
すなわち、表示器１９の表示画面１９ａには、特定の機能に応じてそれぞれウィンドウが設けられており、フォーカスキー２７が操作されることで、順次、操作可能となされるウィンドウが切り替えられ、ユーザが所望の機能を実行可能な状態にすることができる。
【００７２】
なお、以下の説明では、操作可能なウィンドウはアクティブなウィンドウ、それ以外のウィンドウは非アクティブなウィンドウとして説明される。
【００７３】
カーソルキー２８は、表示器１９の表示画面１９ａのウィンドウ中に設定されたカーソルの移動方向や、表示画面中の所定方向を指示するために用いられるキーである。
【００７４】
セットキー４１は、カーソルの移動位置等を確定するためのキーである。
【００７５】
エンコーダ２９は、回転操作されることによってカーソルの移動やパラメータの数値を入力し、押下されることによってパラメータの入力開始や選択決定を指示するために用いられる操作部材である。
【００７６】
次に、画面管理部１０ａによって表示器１９の表示画面１９ａに表示されるファンクションメニューのファンクションメニューデータ１３ａについて、図３Ａ，Ｂを参照しながら説明する。
【００７７】
当該電子測定装置には、図３Ａに示すように、機能に応じた画面（画面１，２，３…）が複数用意されている。
【００７８】
また、各画面１，２，３…には、特定の機能に対応する複数のウィンドウ（図３Ａに示す例では、画面１ためのウィンドウ１，２，３）が用意されている。
【００７９】
画面切り替えキー２６に対する操作により、ある画面が表示されている場合には、この
画面に用意された複数のウィンドウをフォーカスキー２７に対する操作によって、順次、アクティブなウィンドウにすることができる。
【００８０】
各ウィンドウには、ウィンドウがアクティブとなった時に表示されるファンクションメニューのファンクションデータが対応づけて用意されている。
【００８１】
例えば、図３Ａに示す例では、ウィンドウ１に対しては、メニュー項目Ｆ１〜Ｆ１４を含むファンクションメニューデータ（２ページ分のファンクションメニューデータ）が用意されていることを示している。
【００８２】
また、ウィンドウ２に対しては、メニュー項目Ｆ１〜Ｆ７を含むファンクションメニューデータ（１ページ分のファンクションメニューデータ）が用意されていることを示している。
【００８３】
また、ウィンドウ３に対しては、メニュー項目Ｆ１〜Ｆ２１を含むファンクションメニューデータ（３ページ分のファンクションメニューデータ）が用意されていることを示している。
【００８４】
従って、ある画面１が表示されている状態で、一覧表示キー２４によりファンクションメニュー一覧の表示の実行が指示された場合には、ファンクションメニュー一覧表示部１０ａ１により、ウィンドウ１，２，３のそれぞれに対して用意されたファンクションメニューデータを対象として、ファンクションメニュー一覧が作成され表示される。
【００８５】
また、この電子測定装置には、図３Ｂに示すように、特定の機能に対応するファンクションメニューの表示の実行指示を入力するための各ハードキー（１，２，…）３１、３２…に対応して、ファンクションメニューデータが用意されている。
【００８６】
例えば、ハードキー（１）３１ａに対しては、メニュー項目Ｆ１〜Ｆ１４を含むファンクションメニューのデータ（２ページ分のファンクションメニューデータ）が用意されていることを示している。
【００８７】
また、ハードキー（２）３１ｂに対しては、メニュー項目Ｆ１，Ｆ２，…Ｆ２１を含むファンクションメニューのデータ（３ページ分のファンクションメニューデータ）が用意されていることを示している。
【００８８】
従って、あるハードキー３１ａ、３１ｂ…が操作された状態で、一覧表示キー２４によりファンクションメニュー一覧の表示の実行が指示された場合には、ファンクションメニュー一覧表示部１０ａ１により、表示対象となっている特定のハードキーに対応するファンクションメニューデータを対象として、ファンクションメニュー一覧が作成されて表示される。
【００８９】
図４Ａ，Ｂは、表示器１９の表示画面１９ａに設けられるファンクションメニューエリアと一覧表示キー２４の押下によって表示されるファンクションメニュー一覧ウィンドウの概略を示している。
【００９０】
図４Ａに示すように、表示画面中の右側にファンクションメニューエリアが設けられている。
【００９１】
そして、画面管理部１０ａは、パネルユニット１４の操作面上の表示画面１９ａの右側に隣接して設けられたファンクションキー２０のキー位置に応じて、ファンクションメニューの各メニュー項目が位置するように、ファンクションメニューを表示制御部１８により表示させる。
【００９２】
また、一覧表示キー２４がユーザにより押下された場合、ファンクションメニュー一覧表示部１０ａ１は、現在、表示対象となっている画面の各ウィンドウのファンクションメニューのファンクションメニューデータ１３ａを用いてファンクションメニュー一覧を生成し、図４Ｂに示すようにして、表示画面１９ａのファンクションメニュー一覧ウィンドウにおいて表示させる。
【００９３】
ここで、表示画面１９ａに表示されるファンクションメニュー一覧ウィンドウのサイズは、可変に設定することが可能である。
【００９４】
図４Ｂに示す例では、３ページ分のファンクションメニューが一覧表示されたファンクションメニュー一覧ウィンドウを示しているが、その他の複数ページ分のファンクションメニュー一覧とすることもできる。
【００９５】
さらに、表示対象としている画面（ウィンドウ）に対して多数のファンクションメニューが用意されているために、表示画面サイズの制限により、１枚のファンクションメニュー一覧で全てを表示できない場合には、複数枚分のファンクションメニュー一覧を作成することもできる。
【００９６】
この場合、ファンクションメニュー一覧ウィンドウの表示切り替えを指示する入力が入力制御部１６を通じてあった場合、画面管理部１０ａは、その指示に応じて、順次、ファンクションメニュー一覧ウィンドウ中のファンクションメニュー一覧を切り替えるようにする。
【００９７】
なお、特定のハードキーの操作によって、特定の機能に対応するファンクションメニューがファンクションメニューエリアに表示されている時に、一覧表示キー２４がユーザにより押下された場合、ファンクションメニュー一覧表示部１０ａ１は、現在、表示対象となっている特定の機能に対応するファンクションメニューのファンクションメニューデータ１３ａを用いてファンクションメニュー一覧を生成し、同様にして、ファンクションメニュー一覧ウィンドウにおいて表示させる。
【００９８】
次に、パネルユニット１４に設けられた一覧表示キー２４に対する操作に応じたファンクションメニュー一覧の表示の具体例について、図５Ａ，Ｂ，Ｃ，Ｄを参照しながら説明する。
【００９９】
図５Ａ，Ｂ，Ｃ，Ｄは、ある画面１と、この画面１に含まれる複数のウィンドウ１〜ｎと、各ウィンドウ１〜ｎに設けられたファンクションメニューと、画面１が表示されている場合に一覧表示キー２４が押下された場合に表示されるファンクションメニュー一覧との関係とを示している。
【０１００】
すなわち、図５Ａに示す画面１には、図５Ｂに示すように、表示結果表示ウィンドウ  （ウィンドウ１）、パラメータ設定ウィンドウ（ウィンドウ２）、レポート結果表示ウィンドウ（ウィンドウｎ）が含まれている。
【０１０１】
ここで、測定結果ウィンドウがアクティブとなっている場合、図５Ｃに示すように、ウィンドウ１において表示すべきファンクションメニューとして用意されたメニュー項目Ｆ１〜Ｆ１４のうち、図５Ｄに示すように、１ページ目のファンクションメニューとしてＦ１〜Ｆ７、２ページ目のファンクションメニューとしてＦ８〜Ｆ１４が表示される。
【０１０２】
同様にして、ウィンドウ２のパラメータ設定ウィンドウがアクティブとなっている場合、ウィンドウ２おいて表示すべきファンクションメニューとして用意されたメニュー項目Ｆ１〜Ｆ７が、図５Ｄに示すように、１ページ分のファンクションメニューとして配列されて表示される。
【０１０３】
また、ウィンドウｎのレポート結果表示ウィンドウがアクティブとなっている場合については、Ｆ１〜Ｆ２１のメニュー項目がＦ１〜Ｆ７、Ｆ８〜Ｆ１４、Ｆ１５〜Ｆ２１のメニュー項目が、図５Ｄに示すように、それぞれ１ページ分のファンクションメニューとして配列されて表示される。
【０１０４】
なお、ウィンドウ１に対応するファンクションメニューのＦ８〜Ｆ１４、ウィンドウ２のＦ１〜Ｆ７、ウィンドウｎのＦ１５〜Ｆ２１は、それぞれ同じ内容の共通するメニュー項目であるものとする。
【０１０５】
そして、一覧表示キー２４が押下された場合、ファンクションメニュー一覧表示部１０ａ１は、現在表示対象となっている画面１に対応するファンクションメニューデータ１３ａを用いて、各ウィンドウに対応するファンクションメニュー一覧を作成し、ファンクションメニュー一覧ウィンドウを設けて、そのウィンドウ中に表示させる。
【０１０６】
なお、ファンクションメニュー一覧表示部１０ａ１は、ファンクションメニュー一覧を作成する際、各ウィンドウで共通するファンクションメニュー項目を統合して、同一のメニュー項目がファンクションメニュー一覧に重複して含まれないようにする。
【０１０７】
なお、ファンクションメニューエリアでは、現在アクティブとなっているウィンドウのファンクションメニューのみを表示するが、一覧表示キー２４に対する指示により表示させるファンクションメニュー一覧では、アクティブ、非アクティブの関係なく、表示対象となっている画面に含まれる全てのウィンドウに対応するファンクションメニューを一覧表示させる。
【０１０８】
図６Ａ．Ｂ，Ｃ，Ｄは、ファンクションメニュー一覧ウィンドウ３２が表示される前後の表示画面１９ａの具体例を示している。
【０１０９】
まず、図６Ａは、図２に示したパネルユニット１４における特定の機能に対応するファンクションメニューの表示の実行指示を入力するためのハードキー３１ｂが操作された場合の表示画面１９ａの具体例を示している。
【０１１０】
この場合、表示画面１９ａ中の右側には、１ページ目のファンクションメニュー３０が表示されていると共に、それの最下部に１，２，３の３ページ分のファンクションメニューデータが用意されていることが表示されている。
【０１１１】
また、現在表示中の画面１９ａには、測定結果表示ウィンドウ３４、パラメータ設定ウィンドウ３６とが含まれている。
【０１１２】
この場合、測定結果表示ウィンドウ３４がアクティブとなっているウィンドウであるので、ファンクションメニュー３０は、測定結果表示ウィンドウ３４に対応するメニュー項目を含んでいる。
【０１１３】
次に、図６Ｂは、図６Ａの状態で、一覧表示キー２４が押下された場合の表示画面１９ａの具体例を示している。
【０１１４】
図６Ｂでは、ファンクションメニュー一覧ウィンドウ３２が、測定結果表示ウィンドウ３４、パラメータ設定ウィンドウ３６とに一部重なり合った状態で表示されている。
【０１１５】
この場合、測定結果表示ウィンドウ３４、パラメータ設定ウィンドウ３６は、表示画面のサイズの制限から一部のみが表示されているが、通常では、アクティブとなっているとき（図６Ａの状態）に、カーソルキー２８などの操作によってスクロールさせることによって、それらのウィンドウ中に表示されている全ての内容を確認することができる。
【０１１６】
また、ファンクションメニュー３０、ファンクションメニュー一覧ウィンドウ３２には、タグ（ＴＡＧ）が設定されている。
【０１１７】
ここで、タグは、画面やウィンドウに表示されているパラメータや表示項目をまとめた大項目を示すものである。
【０１１８】
図６Ａ，Ｂ中の測定結果表示ウィンドウ３４では、「Ｐｏｗｅｒ  Ｍｅｓｕｒｅｍｅｎｔ」「Ｆｒｅｑｕｅｎｃｙ  Ｅｒｒｏｒ」「Ｏｃｃｕｐｉｅｄ  Ｂａｎｄｗｉｄｔｈ」などがタグに該当する。
【０１１９】
すなわち、図６Ａに示すように、測定結果表示ウィンドウ３４及びパラメータ設定ウィンドウ３６が表示されている際に、一覧表示キー２４によりファンクションメニューの一覧表示の実行が指示された場合、ファンクションメニュー一覧表示部１０ａ１は、図６Ｂに示すように、ファンクションメニュー一覧ウィンドウ３２を設定し、測定結果表示ウィンドウ３４とパラメータ設定ウィンドウ３６に対応するファンクションメニューを含むファンクションメニュー一覧を表示させる。
【０１２０】
この場合、ファンクションメニュー一覧ウィンドウ３２には、３ページ分のファンクションメニューが一覧表示されている。
【０１２１】
そして、ファンクションメニュー一覧ウィンドウ３２に一覧表示された３ページ分のファンクションメニューの各下部に１，２，３のページ欄が設けられており、斜線を施して示すページがそのファンクションメニューのページであることを示している。
【０１２２】
図６Ｃは、ファンクションメニュー一覧ウィンドウ３２中に、メニュー項目を選択するためのカーソル４１が移動自在に設定される表示画面１９ａの具体例を示している。
【０１２３】
すなわち、ファンクションメニュー一覧ウィンドウ３２が表示された状態でカーソルキー２８あるいはエンコーダ２９に対する操作があると、ファンクションメニュー一覧表示部１０ａ１は、その操作に応じて、ファンクションメニュー一覧ウィンドウ３２の各メニュー項目単位でカーソル４１を移動させる。
【０１２４】
これにより、ユーザが所望するメニュー項目の位置にカーソル４１が移動され、セットキー４０あるいはエンコーダ２９の押下などにより選択決定が指示されると、画面管理部１０ａは、選択されたメニュー項目に応じたウィンドウの表示を切り替える。
【０１２５】
なお、各ファンクションメニューには、図６Ａ，Ｂ，Ｃに示すように、ウィンドウに設けられたタグと対応するメニュー項目には「ＴＡＧ」の表示が付加されている。
【０１２６】
この「ＴＡＧ」の表示が付加されたメニュー項目が選択された場合、画面管理部１０ａは、選択されたメニュー項目に対応する画面中の特定の表示領域、すなわち指定されたメニュー項目を含むウィンドウ中の該当タグ部分をウィンドウ中の先頭に表示させると共に、機能が実行可能（アクティブなタグ）であることを表すように特定の表示属性（例えば、反転表示）を付加して表示する。
【０１２７】
例えば、ファンクションメニュー一覧ウィンドウ３２中のメニュー項目「Ｏｃｃｕｐｉｅｄ  Ｂａｎｄｗｉｄｔｈ」が選択された場合、測定結果表示ウィンドウ３４中のタグ  「Ｏｃｃｕｐｉｅｄ  Ｂａｎｄｗｉｄｔｈ」がウィンドウの先頭（図６Ａ−Ｃに示す「Ｐｏｗｅｒ  Ｍｅｓｕｒｅｍｅｎｔ」の位置）となるように表示範囲を変更し、測定結果表示ウィンドウ３４をスクロールさせる操作を必要とせずにタグ以下の内容が表示されるようにする。
【０１２８】
次に、図６Ｄは、図６Ｃにおいてカーソル４１によりファンクションメニュー一覧ウィンドウ３２中の２ページの欄の「Ｂｌｏｃｋ  ＥｒｒｏｒＲａｔｅ  」が選択され、セットキー４１の操作あるいはエンコーダ２９の押下によって必要とするメニュー項目を探し出して実行する場合の表示画面１９ａの具体例を示している。
【０１２９】
こうして、ユーザは、一覧表示キー２４に対する操作だけで、アクティブ、非アクティブに関係なく、各ウィンドウに対応するファンクションメニューの一覧が表示されるので、画面に対して設けられている全てのファンクションメニューを容易に把握し、必要とするメニュー項目を探し出して選択し、かつそれを実行させることができる。
【０１３０】
従って、複数のウィンドウに対する機能を交互に利用する場合、例えば、パラメータ設定ウィンドウ３６においてパラメータを設定し、その設定内容で測定を実行した結果を測定結果表示ウィンドウ３４において確認するといった作業を繰り返し実行するような場合であっても、ユーザは、その都度、ページ切り替えキー２２、フォーカスキー２７、カーソルキー２８やエンコーダ２９に対する操作によって、アクティブなウィンドウを切り替え、必要とするタグを表示させるといった煩雑な操作を行う必要がない。
【０１３１】
この場合、一覧表示キー２４に対する操作によりファンクションメニュー一覧ウィンドウ３２を表示させ、このウィンドウ３２から必要とするメニュー項目を選択することで、非アクティブなウィンドウが対象であっても、該当ウィンドウ中で該当するタグの部分を表示させることができる。
【０１３２】
すなわち、多機能で多数のファンクションメニューが用意されていたとしても、単に、ユーザは、一覧表示キー２４を操作するだけでよいので、非常に操作が簡略化され、操作性が向上する。
【０１３３】
なお、上述した実施形態において記載した制御手法は、コンピュータに実行させることのできるプログラムとして、例えば、磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。
【０１３４】
また、上述した実施形態において記載した制御手法は、コンピュータに実行させることのできるプログラムとして、通信媒体により伝送して各種の装置に提供することも可能である。
【０１３５】
本装置を実現するコンピュータは、記録媒体に記録されたプログラムを読み込み、または通信媒体を介してプログラムを受信し、このプログラムによって動作が制御されることにより、上述した処理を実行する。
【０１３６】
以上のようにして、本発明の電子測定装置は、多数の機能に対応するファンクションメニューが設けられていたとしても、ファンクションメニューから目的とする機能を簡単に選択して実行させることが可能となる。
【０１３７】
従って、以上詳述したように、本発明によれば、単に、一覧表示キーを操作するだけで、表示部の画面上に表示された被測定物の測定データを処理するための互いに異なる複数の機能の実行を指示するために用いられる複数のファンクションメニュー項目を配列させた複数ページに渡るファンクションメニューを同一画面上に一覧表示する機能を有することにより、多数の機能に対応する複数のページに渡るファンクションメニューが設けられていたとしても、表示部の同一画面上に一覧表示されるファンクションメニューから所望の機能を実行させるためのファンクションメニューを簡単に選択して実行させることが可能な電子測定装置を提供することができる。
【０１３８】
また、本発明によれば、単に、一覧表示キーを操作するだけで、表示部の画面上に表示された被測定物の測定データを処理するための互いに異なる複数の機能の実行を指示するために用いられる複数のファンクションメニュー項目を配列させた複数ページに渡るファンクションメニューを同一画面上に一覧表示する機能を有することにより、多数の機能に対応する複数のページに渡るファンクションメニューが設けられていたとしても、表示部の同一画面上に一覧表示されるファンクションメニューから所望の機能を実行させるためのファンクションメニューを簡単に選択して実行させることが可能な電子測定装置のファンクションメニュー表示方法を提供することができる。
【図面の簡単な説明】
【図１】図１は、本発明の一実施形態に係わる電子測定装置の構成を示すブロック図であり、
【図２】図２は、図１のパネルユニット１４の操作面の一例を示す図であり、
【図３】図３Ａ，Ｂは、図１の画面管理部１０ａによって表示器１９の表示画面に表示されるファンクションメニューのファンクションメニューデータ１３ａについて説明するために示す図であり、
【図４】図４Ａ，Ｂは、図１の表示器１９の表示画面に設けられるファンクションメニューエリアと一覧表示キー２４の押下によって表示されるファンクションメニュー一覧ウィンドウの概略を説明するために示す図であり、
【図５】図５は、図１のパネルユニット１４に設けられた一覧表示キー２４に対する操作に応じたファクションメニュー一覧の表示の具体例について説明するために示す図であり、
【図６】図６Ａ−Ｄは、図１の表示器１９にファンクションメニュー一覧ウィンドウを表示する前後の表示画面の具体例を示す図である。
【図１】
0003762408.tif 000002
【図２】
0003762408.tif 000003
【図３】
0003762408.tif 000004
【図４】
0003762408.tif 000005
【図５】
0003762408.tif 000006
【図６Ａ】
0003762408.tif 000007
【図６Ｂ】
0003762408.tif 000008
【図６Ｃ】
0003762408.tif 000009
【図６Ｄ】
0003762408.tif 000010